(57)【要約】      （修正有）【課題】木製及び鋼製のコンクリート型枠の破壊（崩壊）を防止することができるコンクリート圧入治具を提供する。【解決手段】コンクリート圧入治具は、コンクリート圧入開口部をコンクリート型枠の内面に沿って閉塞するパネル部と、パネル部に開設されたコンクリート圧入開口部をコンクリート型枠の内面側において開閉するシャッターを内部に備えたコンクリート圧入部とを備え、コンクリート圧入部にはコンクリート圧入開口部をコンクリート圧入管に接続する接続管５１を備え、接続管５１の側面にコンクリート圧入時のコンクリート側圧力を計測するフラッシュダイヤフラム式圧力計８を備え、シャッターは、回動軸を中心としてコンクリート圧入開口部より離れる方向に回動することによりコンクリート圧入開口部と接続管５１とを連通させる平面部を有する。【選択図】図１８
0003216157.tif 000002
【実用新案登録請求の範囲】
【請求項１】
コンクリート型枠に開設されたコンクリート圧入開口部にコンクリート圧入治具を接続し、コンクリート圧入治具に接続されたコンクリート圧入管からコンクリート型枠内にコンクリートを圧入するコンクリート圧入治具であって、
前記コンクリート型枠のコンクリート圧入開口部の開口縁にはコンクリート型枠の外側へ突出する型枠側連結フランジ部を設け、
前記コンクリート圧入治具は、前記コンクリート圧入開口部をコンクリート型枠の内面において閉塞するパネル部と、パネル部に開設されたコンクリート圧入開口部をコンクリート型枠の内面側において開閉するシャッターを内部に備えたコンクリート圧入部とを備え、
前記パネル部の外周縁部には前記型枠側連結フランジに木製コンクリート型枠の場合はボルトで、又は金属製コンクリート型枠の場合はボルト又は専用の連結ピン等で着脱可能に連結固定することによりコンクリート圧入開口部にパネル部を取り付けるパネル側連結フランジ部を備え、
前記コンクリート圧入部には前記コンクリート圧入開口部をコンクリート圧入管に接続する接続管を備え、
前記接続管の側面にコンクリート圧入時のコンクリート側圧力を計測するフラッシュダイヤフラム式圧力計を備え、
前記シャッターは、回動軸を中心としてコンクリート圧入開口部方向に回動することにより、前記コンクリート圧入開口部をコンクリート型枠の内面に沿った同一平面で閉塞し、コンクリート圧入開口部より離れる方向に回動することによりコンクリート圧入開口部と接続管とを連通させる平面部を有し、
コンクリート型枠内にコンクリートを圧入するときは前記シャッターの平面部が圧入開口部より離れる方向に回動させてコンクリート圧入管からコンクリートをコンクリート型枠内に圧入し、コンクリート圧入完了時には前記シャッターの平面部がコンクリート圧入開口部を閉塞する方向に回動させることを特徴とするコンクリート圧入治具。
【請求項２】
請求項１記載のコンクリート圧入治具において、
前記シャッターには、該シャッターを前記回動軸を中心としてコンクリート圧入開口部を開いた状態から閉塞した状態に回動させる開閉駆動装置を備えることを特徴とするコンクリート圧入治具。
【請求項３】
請求項２記載のコンクリート圧入治具において、
前記開閉駆動装置は、基端部に前記コンクリート圧入部に前後方向回動自在に備えた軸受基部に回転自在に軸支された回転軸部を備えた雄ネジ棒で構成され、
前記雄ネジ棒の先端を前記シャッターの平面部の先端縁部から前記回動軸を中心として円弧状にのびる曲面部の先端に前後方向回動自在に備えた押圧部の雌ネジ孔に螺合され、
前記回転軸部にはラチェットレンチ等の回転工具を装着するナット部を備えていることを特徴とするコンクリート圧入治具。
【請求項４】
請求項１〜３のいずれか１項に記載のコンクリート圧入治具において、
前記シャッターを少なくともコンクリート圧入開口部を閉塞した状態に固定する固定手段を備えることを特徴とするコンクリート圧入治具。
【考案の詳細な説明】
【技術分野】
【０００１】
本考案は、コンクリート圧入治具に関する。
【背景技術】
【０００２】
従来、コンクリート圧入治具であって、鋼製型枠の打設口における圧送コンクリートの遮断装置としては、特許文献１に記載の技術が公知になっている。
この従来の鋼製型枠の打設口における圧送コンクリートの遮断装置は、図１９、２０に示すように、コンクリート圧入治具における打設口１０１とコンクリート吹き込み口（コンクリート圧入管）１０２との間に、回動軸１０３を中心として回動する遮断装置（鎖蓋面版１０４、鎖蓋側板１０５、１０５、鎖蓋底板１０６）を備え、コンクリート圧入後に遮断装置を回動させることにより、打設口１０１とコンクリート吹き込み口１０２との間を遮断するようにしたものである。
【先行技術文献】
【特許文献】
【０００３】
【特許文献１】実公昭６２−４４０３８
【考案の概要】
【考案が解決しようとする課題】
【０００４】
しかしながら、従来例の鋼製型枠の打設口における圧送コンクリートの遮断装置では、鋼鉄製のコンクリート型枠で用いられるものであるため、特に木製のコンクリート型枠で用いる場合には以下に述べる問題点があった。
即ち、一般のコンクリート打設は、コンクリートポンプ車からコンクリートを流し込む圧送鋼管を接続し、それにフレキシブルホースを接続させ、コンクリートを流し込む。ところが、従来技術で圧入時の側圧力を計測するとすれば、圧送鋼管に圧力計を備える技術はあるが、そこからフレキシブルホースを介してコンクリートを流し込むためにコンクリート型枠に対するコンクリート内部側圧力は測定できないという問題があった。
また、コンクリート型枠で高さの高いコンクリート壁面や柱を打設する場合、先ず、型枠の低い位置に取り付けたコンクリート圧入治具からコンクリートを圧入するが、所定の高さ以上にコンクリートを圧入すると、内部側圧力がコンクリート型枠の側圧耐力強度を超えて破壊（崩壊）されるおそれがあるため、所定の高さまでコンクリートを圧入したら遮断装置を回動させてコンクリートの圧入を停止させ、次に、型枠の高い位置に取り付けたコンクリート圧入治具からコンクリートを圧入する。
ところが、先ず、低い位置のコンクリート圧入治具からのコンクリート圧入をどの高さまで行うかは、施工管理者及び作業員の経験と直感に頼るしかないという問題があった。
【０００５】
本考案の解決しようとする課題は、木製及び鋼製のコンクリート型枠内に圧入されたコンクリートの内部側圧力を、施工管理者及び作業員の経験と直感に頼ることなしにコンクリート圧入治具の取り付け位置ごとに側圧係数を正確に知ることができ、これによりンクリート型枠の破壊（崩壊）を防止することができるコンクリート圧入治具を提供することにある。
【課題を解決するための手段】
【０００６】
上記課題を解決するため請求項１記載のコンクリート圧入治具は、コンクリート型枠に開設されたコンクリート圧入開口部にコンクリート圧入治具を接続し、コンクリート圧入治具に接続されたコンクリート圧入管からコンクリート型枠内にコンクリートを圧入するコンクリート圧入治具であって、
前記コンクリート型枠のコンクリート圧入開口部の開口縁にはコンクリート型枠の外側へ突出する型枠側連結フランジ部を設け、
前記コンクリート圧入治具は、前記コンクリート圧入開口部をコンクリート型枠の内面において閉塞するパネル部と、パネル部に開設されたコンクリート圧入開口部をコンクリート型枠の内面側において開閉するシャッターを内部に備えたコンクリート圧入部とを備え、
前記パネル部の外周縁部には前記型枠側連結フランジに木製コンクリート型枠の場合はボルトで、又は金属製コンクリート型枠の場合はボルト又は専用の連結ピン等で着脱可能に連結固定することによりコンクリート圧入開口部にパネル部を取り付けるパネル側連結フランジ部を備え、
前記コンクリート圧入部には前記コンクリート圧入開口部をコンクリート圧入管に接続する接続管を備え、
前記接続管の側面にコンクリート圧入時のコンクリート側圧力を計測するフラッシュダイヤフラム式圧力計を備え、
前記シャッターは、回動軸を中心としてコンクリート圧入開口部方向に回動することにより、前記コンクリート圧入開口部をコンクリート型枠の内面に沿った同一平面で閉塞し、コンクリート圧入開口部より離れる方向に回動することによりコンクリート圧入開口部と接続管とを連通させる平面部を有し、
コンクリート型枠内にコンクリートを圧入するときは前記シャッターの平面部が圧入開口部より離れる方向に回動させてコンクリート圧入管からコンクリートをコンクリート型枠内に圧入し、コンクリート圧入完了時には前記シャッターの平面部がコンクリート圧入開口部を閉塞する方向に回動させることを特徴とする手段とした。
【０００７】
また、請求項２記載のコンクリート圧入治具は、請求項１記載のコンクリート圧入治具において、
前記シャッターには、該シャッターを前記回動軸を中心としてコンクリート圧入開口部を開いた状態から閉塞した状態に回動させる開閉駆動装置を備えることを特徴とする手段とした。
【０００８】
また、請求項３記載のコンクリート圧入治具は、請求項２記載のコンクリート圧入治具において、
前記開閉駆動装置は、基端部に前記コンクリート圧入部に前後方向回動自在に備えた軸受基部に回転自在に軸支された回転軸部を備えた雄ネジ棒で構成され、
前記雄ネジ棒の先端を前記シャッターの平面部の先端縁部から前記回動軸を中心として円弧状にのびる曲面部の先端に前後方向回動自在に備えた押圧部の雌ネジ孔に螺合され、
前記回転軸部にはラチェットレンチ等の回転工具を装着するナット部を備えていることを特徴とする手段とした。
【０００９】
また、請求項４記載のコンクリート圧入治具は、請求項１〜３のいずれか１項に記載のコンクリート圧入治具において、
前記シャッターを少なくともコンクリート圧入開口部を閉塞した状態に固定する固定手段を備えることを特徴とする手段とした。
【考案の効果】
【００１０】
本考案では、上述のように、コンクリート圧入開口部をコンクリート圧入管に接続する接続管にコンクリート圧入時のコンクリート側圧力を計測するフラッシュダイヤフラム式圧力計を備えることで、木製及び鋼製のコンクリート型枠内に圧入されたコンクリートの内部側圧力を、施工管理者及び作業員の経験と直感に頼ることなしにコンクリート圧入治具の取り付け位置ごとに側圧係数を正確に知ることができ、これにより木製及び鋼製のコンクリート型枠の破壊（崩壊）を防止することができるという効果が得られる。
また、シャッターの開閉駆動操作として、コンクリート圧入管方向から押し上げてコンクリート圧入開口部を遮断する方式とすることで、コンクリート圧力の負担を加圧し、これにより、コンクリート圧入治具の配置数量の低減が可能になり、コンクリート打設時にコンクリート圧送管の着脱作業の時間と手間を低減することができるようになるという効果が得られる。
また、シャッターを閉塞した状態では、コンクリート圧入開口部がコンクリート型枠の内面に沿った同一平面で閉じられた状態になるため、コンクリート硬化後にコンクリート型枠及びコンクリート圧入治具を取り外した場合、コンクリート表面に窪みや突出部を生じさせることなく、平面に仕上げることができ、これにより、窪みや突起補修工程を省略することができるようになる
【００１１】
また、前記シャッターには、該シャッターを前記回動軸を中心としてコンクリート圧入開口部を開いた状態から閉塞した状態に回動させる開閉駆動装置を備えることで、シャッターの回動操作を楽に行うことができるようになる。
【００１２】
また、前記開閉駆動装置は、基端部に前記コンクリート圧入部に前後方向回動自在に備えた軸受基部に左右方向回転自在に軸支された回転軸部を備えた雄ネジ棒で構成され、雄ネジ棒の先端を前記シャッターの平面部の先端縁部から前記回動軸を中心として円弧状にのびる曲面部の先端に前後方向回動自在に備えた押圧部の雌ネジ孔に螺合され、回転軸部にはラチェットレンチ等の回転工具を装着するナット部を備えている構成とすることで、ナット部にラチェットレンチ等の回転工具を装着して小さな力でシャッターを回動させることができるようになる。
【００１３】
また、前記シャッターを少なくともコンクリート圧入開口部を閉塞した状態に固定する固定手段を備えることで、コンクリート型枠内に充填されたコンクリートの重みでシャッターが開く方向に回動することを確実に阻止することができるようになる。
【図面の簡単な説明】
【００１４】
【図１】実施例１のコンクリート圧入治具を示すシャッター閉時の正面図である。
【図２】実施例１のコンクリート圧入治具を示すシャッター開時の正面図である。
【図３】実施例１のコンクリート圧入治具を示すシャッター閉時の背面図である。
【図４】実施例１のコンクリート圧入治具を示すシャッター開時の背面図である。
【図５】実施例１のコンクリート圧入治具を示すシャッター閉時の右側面図である。
【図６】実施例１のコンクリート圧入治具を示すシャッター開時の右側面図である。
【図７】実施例１のコンクリート圧入治具を示すシャッター閉時の平面図である。
【図８】実施例１のコンクリート圧入治具を示すシャッター開時の平面図である。
【図９】実施例１のコンクリート圧入治具を示すシャッター閉時の斜視図である。
【図１０】実施例１のコンクリート圧入治具を示すシャッター閉時の斜視図である。
【図１１】図１のＡ―Ａ線におけるシャッター閉時の縦断側面図である。
【図１２】図２のＢ―Ｂ線におけるシャッター開時の縦断側面図である。
【図１３】シャッターを示す斜視図である。
【図１４】木製コンクリート型枠のコンクリート圧入開口部を示す斜視図である。
【図１５】鋼製コンクリート型枠のコンクリート圧入開口部を示す斜視図である。
【図１６】実施例１のコンクリート圧入治具の木製コンクリート型枠への取り付け状態を示す斜視図である。
【図１７】実施例１のコンクリート圧入治具の金属製コンクリート型枠への取り付け状態を示す斜視図である。
【図１８】フラッシュダイヤフラム式圧力計の取り付け部の詳細を示す断面図である。
【図１９】従来例のコンクリート圧入治具を示す遮断装置の開放時を示す断面図である。
【図２０】従来例のコンクリート圧入治具を示す遮断装置の遮断時を示す断面図である。
【考案を実施するための形態】
【００１５】
以下にこの考案の実施例を図面に基づいて説明する。
【実施例１】
【００１６】
まず、この実施例１のコンクリート圧入治具を図面に基づいて説明する。
【００１７】
この実施例１のコンクリート圧入治具は、図１〜１８に示すように、コンクリート型枠１に開設されたコンクリート圧入開口部１１にコンクリート圧入治具を接続し、コンクリート圧入治具に接続されたコンクリート圧入管２からコンクリート型枠１内にコンクリートを圧入するコンクリート圧入治具であって、図１４、１５に示すように、前記コンクリート型枠１のコンクリート圧入開口部１１の開口縁にはコンクリート型枠１の外側へ突出する型枠側連結フランジ部１２が設けられている。
【００１８】
前記コンクリート圧入治具は、図１１に示すように、コンクリート圧入開口部１１をコンクリート型枠１の内面１ａにおいて閉塞するパネル部３と、コンクリート圧入部５とを備え、コンクリート圧入部５には、コンクリート圧入管２を接続する接続管部５１を備えている。
また、コンクリート圧入部５内にはパネル部３に開設されたコンクリート圧入開口部３１をコンクリート型枠１の内面１ａと同一平面において開閉するシャッター４を備えている。
【００１９】
前記パネル部３の外周縁部には型枠側連結フランジ１２に木製コンクリート型枠の場合は図１６に示すようにボルト・ナット６１で、又は鋼製コンクリート型枠の場合は図１７に示すようにボルト・ナット６１又は連結ピン６２で着脱可能に連結固定することによりコンクリート圧入開口部１１にパネル部３を取り付けるパネル側連結フランジ部３２を備えている。
また、パネル側連結フランジ部３２と型枠側連結フランジ部１２には、図１１、１２、１４、１５に示すように、ボルトや連結ピン等を挿通するための挿通孔３２ａ、１２ａが設けられている。
前記連結ピン６２は、図１７に示すように、挿通孔３２ａ、１２ａに挿通するピン６２ａとピン６２ａを固定するクサビ６２ｂとで構成されている。
【００２０】
前記コンクリート圧入部５にはコンクリート圧入開口部１１をコンクリート圧入管７に接続する接続管５１を備えている。
【００２１】
また、図１８に示すように、前記接続管５１の側面に形成されたネジ穴５２ａにはコンクリート圧入時のコンクリート側圧力を計測するフラッシュダイヤフラム式圧力計８がねじ込み固定されている。この実施例１では、接続管５１の側面に形成された貫通穴５１ａの外側にナット５２が溶接固定され、該ナット５２のネジ穴５２ａにフラッシュダイヤフラム式圧力計８がねじ込み固定されている。
【００２２】
前記シャッター４は、図１１、１２、１３に示すように、回動軸４１を中心としてコンクリート圧入開口部１１方向に回動することにより、コンクリート圧入開口部１１をコンクリート型枠１の内面に沿った同一平面で閉塞し、コンクリート圧入開口部１１より離れる方向に回動することによりコンクリート圧入開口部１１と接続管５１とを連通させる平面部４２を有している。
また、前記シャッター４には、該シャッター４を回動軸４１を中心としてコンクリート圧入開口部１１を開いた状態から閉塞した状態に回動させる開閉駆動装置７を備えている。
この開閉駆動装置７は、基端部にコンクリート圧入部５に前後方向回動自在に備えた軸受基部７１に左右方向回転自在に軸支された回転軸部７２を備えた雄ネジ棒７３で構成され、雄ネジ棒７３の先端をシャッター４の平面部４２の先端縁部から回動軸４１を中心として円弧状にのびる曲面部４３の先端に前後方向回動自在に備えた押圧部７４の雌ネジ孔７５に螺合され、回転軸部１３ｂにはラチェットレンチ等の回転工具を装着するナット部７６を備えている。なお、図において、４４は補強リブを示す。
【００２３】
また、前記開閉駆動装置７には、シャッター４を少なくともコンクリート圧入開口部１１を閉塞した状態に固定する固定手段を備えている。
前記固定手段は、図示を省略したが、軸受基部７１に螺合されてその先端で回転軸部７２を上面から押圧して固定する固定ネジで構成することができる。
【００２４】
次に、実施例１の作用について説明する。
この実施例１では、上述のように構成されるため、コンクリート型枠１内にコンクリートを圧入する時は、図１２に示すように、シャッター４の平面部４２が圧入開口部１１より離れる方向にシャッター４回動させた状態で、接続管部２１に接続されたコンクリート圧入管２からコンクリートをコンクリート型枠１内に圧入し、コンクリート圧入完了時には、図１１に示すように、シャッター４の平面部４２がコンクリート圧入開口部１１を閉塞する方向にシャッター４を回動させる。
なお、シャッター４の開閉操作は、開閉駆動装置７で行うもので、ナット部７６にラチェットレンチ等の回転工具を装着して雄ネジ棒７３を回転させることにより、コンクリート圧入開口部１１を閉塞する方向にシャッター４を押圧回動させる。すなわち、シャッター４の開閉駆動操作として、コンクリート圧入管２の方向から押し上げてコンクリート圧入開口部１１を遮断する方式となる。
これにより、シャッター４の平面部４２でコンクリート圧入開口部１１をコンクリート型枠１の内面１ａと同一平面において閉塞することができる。
【００２５】
また、木製及び鋼製のコンクリート型枠で高さの高いコンクリート壁面や柱を打設する場合、先ず、型枠の低い位置に取り付けたコンクリート圧入治具からコンクリートを圧入するが、フラッシュダイヤフラム式圧力計８で計測されるコンクリート型枠１内のコンクリート側圧力が木製及び鋼製のコンクリート型枠の側圧耐力強度に達する前にコンクリートの圧入を停止させてコンクリート圧入治具のシャッター４を閉じた後、型枠の高い位置に取り付けたコンクリート圧入治具からコンクリートを圧入する。
【００２６】
次に、この実施例１の効果を説明する。
【００２７】
この実施例１のコンクリート圧入治具では、上述のように、コンクリート圧入開口部３１をコンクリート圧入管２に接続する接続管５１にコンクリート圧入時のコンクリート側圧力を計測するフラッシュダイヤフラム式圧力計８を備えることで、木製及び鋼製のコンクリート型枠内に圧入されたコンクリートの内部側圧力を、施工管理者及び作業員の経験と直感に頼ることなしにコンクリート圧入治具の取り付け位置ごとに側圧係数を正確に知ることができ、これにより木製及び鋼製のコンクリート型枠の破壊（崩壊）を防止することができるという効果が得られる。
また、シャッター４の開閉駆動操作として、コンクリート圧入管２の方向から押し上げてコンクリート圧入開口部１１を遮断する方式とすることで、コンクリート圧力の負担を加圧し、これにより、コンクリート圧入治具の配置数量の低減が可能になり、コンクリート打設時にコンクリート圧送管２の着脱作業の時間と手間を低減することができるようになるという効果が得られる。
また、シャッター４を閉塞した状態では、コンクリート圧入開口部１１がコンクリート型枠１の内面１ａに沿った同一平面で閉じられた状態になるため、コンクリート硬化後にコンクリート型枠１及びコンクリート圧入治具を取り外した場合、コンクリート表面に窪みや突出部を生じさせることなく、平面に仕上げることができ、これにより、窪みや突起補修工程を省略することができるようになるという効果が得られる。
【００２８】
また、前記シャッター４には、該シャッター４を回動軸４１を中心としてコンクリート圧入開口部１１を開いた状態から閉塞した状態に回動させる開閉駆動装置７を備えることで、シャッター４の回動操作を楽に行うことができるようになる。
【００２９】
また、前記開閉駆動装置７は、基端部にコンクリート圧入部５に前後方向回動自在に備えた軸受基部７１に回転自在に軸支された回転軸部７２を備えた雄ネジ棒７３で構成され、雄ネジ棒７３の先端をシャッター４の平面部４２の先端縁部から回動軸４１を中心として円弧状にのびる曲面部４３の先端に前後方向回動自在に備えた押圧部７４の雌ネジ孔７５に螺合され、回転軸部７２にはラチェットレンチ等の回転工具を装着するナット部７６を備えている構成とすることで、ナット部７６にラチェットレンチ等の回転工具を装着して小さな力でシャッター４を回動させることができるようになる。
【００３０】
また、前記シャッター４を少なくともコンクリート圧入開口部１１を閉塞した状態に固定する固定手段を備えることで、コンクリート型枠１内に充填されたコンクリートの重みでシャッター４が開く方向に回動することを確実に阻止することができるようになる。
【００３１】
また、前記固定手段を、軸受基部７１に螺合されてその先端で回転軸部７２を押圧して固定する固定ネジで構成されることで、雄ネジ棒７３の回転を阻止し、シャッター４が開く方向に回動することを確実に阻止することができるようになる。
【００３２】
以上本実施例を説明してきたが、本考案は上述の実施例に限られるものではなく、本考案の要旨を逸脱しない範囲の設計変更等があっても、本考案に含まれる。
【００３３】
例えば、実施例では、コンクリート型枠へのコンクリート圧入に用いた例を示したが、ボルト連結部位を構造躯体面にあけることで、コンクリート充填鋼管構造へのコンクリート圧入装置としても使用可能となる。
【符号の説明】
【００３４】
１  コンクリート型枠
１ａ  コンクリート型枠の内面
１１  コンクリート圧入開口部
１２  型枠側連結フランジ部
１２ａ  挿通孔
２  コンクリート圧入管
３  パネル部
３１  コンクリート圧入開口部
３２  パネル側連結フランジ部
３２ａ  挿通孔
４  シャッター
４１  回動軸
４２  平面部
４３  局面部
４４  補強リブ
５  コンクリート圧入部
５１  接続管
５１ａ  貫通穴
５２  ナット
５２ａ  ネジ穴
６１  ボルト・ナット
６２  連結ピン
６２ａ  ピン
６２ｂ  クサビ
７  開閉駆動装置
７１  軸受基部
７２  回転軸部
７３  雄ネジ部
７４  押圧部
７５  雌ネジ孔
７６  ナット部
８  フラッシュダイヤフラム式圧力計
【図１】
0003216157.tif 000003
【図２】
0003216157.tif 000004
【図３】
0003216157.tif 000005
【図４】
0003216157.tif 000006
【図５】
0003216157.tif 000007
【図６】
0003216157.tif 000008
【図７】
0003216157.tif 000009
【図８】
0003216157.tif 000010
【図９】
0003216157.tif 000011
【図１０】
0003216157.tif 000012
【図１１】
0003216157.tif 000013
【図１２】
0003216157.tif 000014
【図１３】
0003216157.tif 000015
【図１４】
0003216157.tif 000016
【図１５】
0003216157.tif 000017
【図１６】
0003216157.tif 000018
【図１７】
0003216157.tif 000019
【図１８】
0003216157.tif 000020
【図１９】
0003216157.tif 000021
【図２０】
0003216157.tif 000022